(57)【特許請求の範囲】
【請求項１】
充電装置及びバーコードリーダを備えた端末から送信される第１のバーコード情報を受信し、また、前記端末から送信される第２のバーコード情報を受信する通信手段と、
前記第１のバーコード情報を受信した後であっても前記第２のバーコード情報を受信しない場合は前記第１のバーコード情報に基づく精算処理の実行指示を受け付けず、前記第２のバーコード情報を受信した場合に前記第１のバーコード情報に基づく前記精算処理の実行指示の受け付けを許可する制御手段と、
を備え、
前記第１のバーコード情報は、前記バーコードリーダによる商品の第１のバーコードの読み取りにより得られる情報であり、
前記第２のバーコード情報は、前記充電装置の充電可能位置に前記端末が置かれた場合に、前記端末の前記バーコードリーダにより読み取り可能な位置に設けられた第２のバーコードの読み取りにより得られる情報である情報処理装置。
【請求項２】
充電装置及びバーコードリーダを備えた端末から送信される第１のバーコード情報を受信した後であっても前記端末から送信される第２のバーコード情報を受信しない場合は、前記第１のバーコード情報に基づく精算処理の実行指示を受け付けない手順と、
前記第２のバーコード情報を受信した場合に、前記第１のバーコード情報に基づく前記精算処理の実行指示の受け付けを許可する手順と、
を備え、
前記第１のバーコード情報は、前記バーコードリーダによる商品の第１のバーコードの読み取りにより得られる情報であり、
前記第２のバーコード情報は、前記充電装置の充電可能位置に前記端末が置かれた場合に、前記端末の前記バーコードリーダにより読み取り可能な位置に設けられた第２のバーコードの読み取りにより得られる情報である情報処理プログラム。
【発明の詳細な説明】
【技術分野】
【０００１】
本発明の実施形態は、情報処理装置、情報処理システム、及び情報処理プログラムに関する。
【背景技術】
【０００２】
近年、各種の物品やサービスを提供する店舗では、ＰＯＳ（Ｐｏｉｎｔ  Ｏｆ  Ｓａｌｅｓ）システムが普及している。例えば、ＰＯＳシステムは、ＰＯＳ端末と複数の周辺機器を備え、ＰＯＳ端末と複数の周辺機器とは有線又は無線で接続される。これら複数の周辺機器としては、例えばタッチスキャナ、定置式バーコードスキャナ、レシートプリンタ、ドロワ、自動釣銭機、クレジットカード端末、暗証番号入力機、ポイントカード端末、キーボード、客面表示器などがある。
【０００３】
これら周辺機器が使用された後、これら周辺機器が定位置に戻されず、適当な位置に置き忘れられると、円滑な業務に支障をきたすことがあるため、これら周辺機器の使用後、これら周辺機器を定位置に戻すことが奨励されている。
【０００４】
有線接続の場合、例えば、ＰＯＳ端末と上記複数の周辺機器とが通信ケーブル（ＵＳＢ，ＲＳ−２３２Ｃなど）で接続され、さらには、これら複数の周辺機器の中には電源ケーブルを介して電力供給を受けるものもある。このように、ＰＯＳシステムでは、通信ケーブル及び電源ケーブルが煩雑になり、店舗の美観を損ねる場合がある。また、多くの配線は周辺機器のメンテナンス性を低下させることがある。そこで、ＰＯＳ端末と複数の周辺機器とを無線で接続するＰＯＳシステムが登場しているが、無線接続の場合、周辺機器の置き忘れが起きやすくなる。
【０００５】
ワイヤレス装置の置き忘れを防止する技術として、警告音等により警告を行う技術が知られている。
【先行技術文献】
【特許文献】
【０００６】
【特許文献１】特開２０１４−６８０８号公報
【発明の概要】
【発明が解決しようとする課題】
【０００７】
有線又は無線で接続された周辺機器が定位置へ戻されず、適当な位置に置き忘れられると、その後の円滑な業務に支障をきたすことがある。そのため、置き忘れを防止する技術が望まれているが、例えば、一時的に警告音を発したとしても、多忙な店員が警告音を聞き流すことが考えられ、さらなる対策が望まれている。また、置き忘れ防止に特化した特別なハードウェアを追加するとなると、コスト増の問題が生じる。
【０００８】
本発明の目的は、端末（周辺機器）の置き忘れ防止に優れた情報処理装置、情報処理システム、及び情報処理プログラムを提供することにある。
【課題を解決するための手段】
【０００９】
実施形態に係る情報処理装置は、通信手段と、制御手段とを備える。前記通信手段は、充電装置を備えた端末からデータを受信し、前記充電装置による受電開始又は受電中を示す受電情報を前記端末から受信する。前記制御手段は、前記データを受信した後であっても前記受電情報を受信しない場合は前記データに基づく所定処理の実行指示を受け付けず、前記受電情報を受信した場合に前記データに基づく前記所定処理の実行指示の受け付けを許可する。
【図面の簡単な説明】
【００１０】
【図１】第１〜第４の実施形態に係るケーブルレスＰＯＳシステムの一例を示す斜視図。
【図２Ａ】第１〜第４の実施形態に係るケーブルレスＰＯＳシステムの画面表示の一例を示す図。
【図２Ｂ】第１〜第４の実施形態に係るケーブルレスＰＯＳシステムの画面表示の一例を示す図。
【図２Ｃ】第１〜第３の実施形態に係るケーブルレスＰＯＳシステムの画面表示の一例を示す図。
【図３】第１〜第３の実施形態に係るケーブルレスＰＯＳシステムのブロック図。
【図４】第１の実施形態に係るケーブルレスＰＯＳシステムのフローチャート。
【図５】第２の実施形態に係るケーブルレスＰＯＳシステムのフローチャート。
【図６】第３の実施形態に係るケーブルレスＰＯＳシステムの一例を示す斜視図。
【図７】第３の実施形態に係るケーブルレスＰＯＳシステムのフローチャート。
【図８】第４の実施形態に係るケーブルレスＰＯＳシステムのブロック図。
【図９Ａ】第４の実施形態に係るケーブルレスＰＯＳシステムの画面表示の一例を示す図。
【図９Ｂ】第４の実施形態に係るケーブルレスＰＯＳシステムの画面表示の一例を示す図。
【発明を実施するための形態】
【００１１】
以下、実施の形態を、図面を用いて説明する。
【００１２】
（第１の実施形態）
図１は第１の実施形態に係るケーブルレスＰＯＳシステムの一例を示す斜視図である。本実施形態では、ケーブルレスでＰＯＳ端末と接続された周辺機器の置き忘れ防止について説明するが、ケーブルでＰＯＳ端末と接続された周辺機器の置き忘れ防止にも適用可能である。
【００１３】
ケーブルレスＰＯＳシステムは、ＰＯＳ端末１００及び複数の周辺機器を備える。ＰＯＳ端末１００は表示部１０１と入力部（タッチパネル）１０２とを備え、周辺機器としてのタッチスキャナ１１０、レシートプリンタ１３０、及び客面表示器１４０と無線通信により接続されている。なお、ＰＯＳ端末１００はその他の周辺機器、たとえば定置式バーコードスキャナ、ドロワ、自動釣銭機、クレジットカード端末、暗証番号入力機、ポイントカード端末、キーボード、及び客面表示器と無線又は有線で接続される。タッチスキャナ１１０は充電台１２０の上に嵌合する構造であり、充電台１２０からタッチスキャナ１１０に給電される。給電方法は、電極による接触方式や、Ｑｉ（登録商標）（チー）などに代表される非接触給電方式でも良い。非接触給電方式を採用する場合、充電台１２０の近傍にタッチスキャナ１１０を置くだけで給電可能となる。
【００１４】
図２Ａ及び図２Ｂは第１の実施形態に係るケーブルレスＰＯＳシステムの画面であり、商品登録時のアプリケーション画面の一例を示している。詳細は後述する。
【００１５】
図３は第１の実施形態に係るケーブルレスＰＯＳシステムのブロック図を示している。図３では、ＰＯＳ端末１００とタッチスキャナ１１０と充電台１２０の関係を示す図であり、その他の機器については省略している。
【００１６】
ＰＯＳ端末１００は、表示部１０１、入力部１０２、無線通信部１０４、ＣＰＵ１０５、ＲＡＭ１０６、ＨＤＤ（ハードディスクドライブ）１０７を備え、ＣＰＵ１０５は、表示部１０１、入力部１０２、無線通信部１０４、ＲＡＭ１０６、ＨＤＤ１０７と接続されている。ＰＯＳ端末１００のプログラムはＨＤＤ１０７に格納され、必要に応じてＲＡＭ１０６に展開されＣＰＵ１０５により実行される。プログラムの実行結果は表示部１０１に表示され、店員はタッチパネルに代表される入力部１０２により各種情報を入力する。
【００１７】
タッチスキャナ１１０は、制御部１１１、受電部１１２（充電装置）、電源部１１３、無線通信部１１４、バーコード読み取り部１１５を備えている。充電台１２０は、送電部１２１と電源部１２２を備え、送電部１２１は送電コイルと制御部（図示せず）により構成されている。タッチスキャナ１１０の受電部１１２は受電コイルと整流回路と制御部（図示せず）を備え、充電台１２０の送電部１２１に備えられた送電コイルと磁気結合することで、電力を受電し、受電した電力で電源部１１３を充電することができる。
【００１８】
図４は、第１の実施形態に係るケーブルレスＰＯＳシステムの動作の一例を示すフローチャートである。
【００１９】
例えば、キャッシャーは、ＰＯＳ端末１００の入力部１０２を介して、商品登録業務の開始を入力し（ＣＰＵ１０５はこの入力に基づき商品登録業務を開始し）（ＡＣＴ１）、続けて、キャッシャーは、タッチスキャナ１１０を用いて商品のバーコードをスキャンする（ＡＣＴ２）。タッチスキャナ１１０のバーコード読み取り部１１５で読み取られたバーコード情報（ユニークな数値のデータ）は、制御部１１１に伝送され、無線通信部１１４から送信され、ＰＯＳ端末１００の無線通信部１０４でバーコード情報が受信されると、ＣＰＵ１０５はＨＤＤ１０７を参照して、受信されたバーコード情報に関連付けられた商品情報（商品名や金額）を抽出（ＡＣＴ３）し、表示部１０１に前記商品名や金額を表示する（ＡＣＴ４）。なお、バーコード情報から商品名や金額を読み出すＡＣＴ３の動作をＰＬＵ（Ｐｒｉｃｅ  Ｌｏｏｋ  Ｕｐ）と呼ぶ。また、受信されたバーコード情報に関連付けられた商品名や金額がＨＤＤに登録されていない場合は、ＰＯＳ端末１００の外部に設置されたホストコンピュータに問い合わせ、商品名や金額を取得するが、ここでは詳細説明を省略する。
【００２０】
上記の商品登録は基本的に商品点数の数だけ繰り返す。即ち、タッチスキャナ１１０を用いて商品のバーコードがスキャンされる回数だけ繰り返す。例えば、タッチスキャナ１１０により商品Ａのバーコードがスキャンされ、個数「３」が入力され、続いて、タッチスキャナ１１０により商品Ｂのバーコードがスキャンされ、続いて、タッチスキャナ１１０により商品Ｃのバーコードがスキャンされ、個数「３」が入力され、続いて、タッチスキャナ１１０により商品Ｄのバーコードがスキャンされ、タッチスキャナ１１０が充電台１２０に置かれるまでは、表示部１０１は図２Ａに示すアプリケーション画面２００を表示し、タッチスキャナ１１０が充電台１２０に置かれると、表示部１０１は図２Ｂに示すアプリケーション画面２００を表示する。即ち、表示部１０１は図２Ａに示すアプリケーション画面２００を図２Ｂに示すアプリケーション画面２００へ切り替え表示する。
【００２１】
ここで、タッチスキャナ１１０が充電台１２０に置かれた場合の制御について説明する。タッチスキャナ１１０が充電台１２０に置かれると、タッチスキャナ１１０の受電部１１２は受電コイルと充電台１２０の送電部１２１の送電コイルの磁気結合を検出し、充電台１２０の送電部１２１は送電を開始し、タッチスキャナ１１０の受電部１１２は受電を開始する。受電部１１２が受電した電力は電源部１１３に伝達されるが、同時に受電部１１２は受電開始又は受電中を制御部１１１に通知し、制御部１１１は無線通信部１１４を介して、ＰＯＳ端末１００の無線通信部１０４に、受電開始又は受電中を示す受電情報を伝送する。
【００２２】
ここで、受電情報を受信したことをＣＰＵ１０５が認識すると（ＡＣＴ５のＹＥＳ）、表示部１０１は図２Ａに示すアプリケーション画面２００を図２Ｂに示すアプリケーション画面２００へ切り替え表示し、ＣＰＵ１０５は小計キー２０１ａによる小計の指示を受け付ける（小計選択可）。即ち、ＣＰＵ１０５はアプリケーション画面２００の小計キー２０１を有効にして、商品情報に基づく精算処理の受け付けを許可し（ＡＣＴ６）、精算処理を受け付けて、商品情報に基づく精算処理を実行する（ＡＣＴ７）。
【００２３】
タッチスキャナ１１０が充電台１２０に置かれるまでの間（受電情報をＣＰＵ１０５が認識するまでの間）は、つまり、タッチスキャナ１１０が充電台１２０に置かれていない場合（受電情報をＣＰＵ１０５が認識してない場合）は（ＡＣＴ５のＮＯ）、表示部１０１は図２Ａに示すアプリケーション画面２００を表示し、ＣＰＵ１０５は小計キー２０１ａによる小計の指示を受け付けない（小計選択不可）。例えば、アプリケーション画面２００上で、小計キー２０１ａはグレーアウトで表示され（小計キー２０１ａは淡い灰色で表示され）、小計の指示を受け付けないことを視覚的に案内する。即ち、ＣＰＵ１０５はアプリケーション画面２００の小計キー２０１を無効にして、商品情報に基づく精算処理を受け付けない。これにより、ＰＯＳ端末１００は精算処理ＡＣＴ７に移行しない。
【００２４】
従って、タッチスキャナ１１０が充電台１２０（定位置）に戻されず、適当な位置に置き忘れられた場合は、精算業務が完了しない。よって、必ずタッチスキャナ１１０を充電台１２０（定位置）に置く必要があるため、必然的に置き忘れを防止することができる。なお、定位置とは、タッチスキャナ１１０と充電台１２０とが充電可能な位置である。
【００２５】
（第２の実施形態）
図５は、第２の実施形態に係るケーブルレスＰＯＳシステムの動作の一例を示すフローチャートである。なお、機器の構成は第１の実施形態（図１および図２）と同一であるため、その詳細な説明は省略する。
【００２６】
例えば、例えば、キャッシャーは、ＰＯＳ端末１００の入力部１０２を介して、商品登録業務の開始を入力し（ＣＰＵ１０５はこの入力に基づき商品登録業務を開始し）（ＡＣＴ１１）、続けて、キャッシャーは、タッチスキャナ１１０を用いて商品のバーコードをスキャンする（ＡＣＴ１２）。タッチスキャナ１１０のバーコード読み取り部１１５で読み取られたバーコード情報は、制御部１１１に伝送され、無線通信部１１４から送信され、ＰＯＳ端末１００の無線通信部１０４でバーコード情報が受信されると、ＣＰＵ１０５はタイマーを起動する（ＡＣＴ１３）。次にＣＰＵ１０５はＨＤＤ１０７を参照して、バーコード情報に関連付けられた商品情報（商品名や金額）を抽出（ＡＣＴ１４）し、表示部１０１に前記商品名や金額を表示する（ＡＣＴ１５）。なお、バーコード情報から商品名や金額を読み出すＡＣＴ１４の動作をＰＬＵ（Ｐｒｉｃｅ  Ｌｏｏｋ  Ｕｐ）と呼ぶ。また、商品情報がＨＤＤに登録されていない場合は、ＰＯＳ端末１００の外部に設置されたホストコンピュータに問い合わせ、商品名や金額を取得するが、ここでは詳細説明を省略する。
【００２７】
上記の商品登録は基本的に商品点数の数だけ繰り返す。タッチスキャナ１１０が充電台１２０に置かれるまでの間で、情報未入力の状態が所定時間を経過していなければ、表示部１０１は図２Ａに示すアプリケーション画面２００を表示し、情報未入力の状態が所定時間を経過する前にタッチスキャナ１１０が充電台１２０に置かれると、表示部１０１は図２Ｂに示すアプリケーション画面２００を表示する。タッチスキャナ１１０が充電台１２０に置かれるまでの間で、情報未入力の状態が所定時間を経過すると（タイムアウト）、ＣＰＵ１０５は、警告情報の出力を指示し、表示部１０１は、警告情報を出力する。例えば、表示部１０１は図２Ｃに示すアプリケーション画面２００を表示し、その後、タッチスキャナ１１０が充電台１２０に置かれると、表示部１０１は図２Ｂに示すアプリケーション画面２００を表示する。即ち、表示部１０１は図２Ａに示すアプリケーション画面２００を図２Ｂ又は図２Ｃに示すアプリケーション画面２００へ切り替え表示したり、図２Ｃに示すアプリケーション画面２００を図２Ｂに示すアプリケーション画面２００へ切り替え表示したりする。
【００２８】
ここで、タッチスキャナ１１０が充電台１２０に置かれた場合の制御について説明する。タッチスキャナ１１０が充電台１２０に置かれると、タッチスキャナ１１０の受電部１１２は受電コイルと充電台１２０の送電部１２１の送電コイルの磁気結合を検出し、充電台１２０の送電部１２１は送電を開始し、タッチスキャナ１１０の受電部１１２は受電を開始する。受電部１１２が受電した電力は電源部１１３に伝達されるが、同時に受電部１１２は受電したことを制御部１１１に通知し、制御部１１１は無線通信部１１４を介して、ＰＯＳ端末１００の無線通信部１０４に、受電開始又は受電中を示す受電情報を伝送する。
【００２９】
ここで、受電情報を受信したことをＣＰＵ１０５が認識すると（ＡＣＴ１６のＹＥＳ）、ＣＰＵ１０５はタイマーを停止させ（ＡＣＴ１７）、表示部１０１は図２Ａに示すアプリケーション画面２００を図２Ｂに示すアプリケーション画面２００へ切り替え表示し、アプリケーション画面の小計キー２０１を有効にして（ＡＣＴ１８）、商品情報に基づく精算処理を実行する（ＡＣＴ１９）。
【００３０】
タッチスキャナ１１０が充電台１２０に置かれるまでの間（受電情報をＣＰＵ１０５が認識するまでの間）は、つまり、タッチスキャナ１１０が充電台１２０に置かれていない場合（受電情報をＣＰＵ１０５が認識してない場合）は（ＡＣＴ１６のＮＯ）、表示部１０１は図２Ａに示すアプリケーション画面２００を表示し、ＣＰＵ１０５は小計キー２０１ａによる小計の指示を受け付けない（小計選択不可）。さらに、ＣＰＵ１０５はタイマーの値を監視し（ＡＣＴ２１）、入力がない状態で（例えばバーコード情報の受信がない状態で）所定時間が経過すると（ＡＣＴ２１のＹＥＳ）、アプリケーション画面２００にエラー表示または、タッチスキャナを充電台に置くように促すメッセージを表示する（ＡＣＴ２２）。例えば、表示部１０１は図２Ｃに示すアプリケーション画面２００を表示する。
【００３１】
ここで、タッチスキャナ１１０が充電台１２０に置かれ、図２Ｃに示すアプリケーション画面２００の確認画面でＯＫが選択されると（ＡＣＴ２３のＹＥＳ）、受電確認の状態に戻り（ＡＣＴ１６のＹＥＳ）、ＡＣＴ１７〜ＡＣＴ２０の動作を行う（ＡＣＴ１８では図２Ｂに示すアプリケーション画面２００が表示される）。
【００３２】
なお、図２Ｃに示すアプリケーション画面２００を介したＯＫの選択操作を省略するようにしてもよい。即ち、タッチスキャナ１１０が充電台１２０に置かれ、ＣＰＵ１０５が受電情報を認識すると、ＯＫの選択操作がなくとも、図２Ｂに示すアプリケーション画面２００を表示するようにしてもよい。
【００３３】
タイマーの値が所定の時間内であった場合（ＡＣＴ２１のＮＯ）は、バーコードスキャン（ＡＣＴ１２）からの動作を継続する。この場合、図２Ａに示すアプリケーション画面２００が表示される。
【００３４】
従って、タッチスキャナ１１０が充電台１２０（定位置）に戻されず、適当な位置に置き忘れられた場合は、図２Ｃに示すように、アプリケーション画面２００にエラー表示または、タッチスキャナを充電台に置くように促すメッセージが表示され、精算業務が完了しない。よって、必ずタッチスキャナ１１０を充電台１２０（定位置）に置く必要があるため、必然的に置き忘れを防止することができる。
【００３５】
（第３の実施形態）
図６は、第３の実施形態に係るケーブルレスＰＯＳシステムの一例を示す斜視図である。なお、図６において図１と同一の要素には同一の符号を付し、その詳細な説明は省略する。
【００３６】
充電台１２０の近傍には専用バーコード１５０が配置されているが、充電台１２０と一体に構成しても良い。なお、専用バーコード１５０は、タッチスキャナ１１０の受電部１１２による充電可能位置にタッチスキャナ１１０が置かれた場合に、タッチスキャナ１１０のバーコード読み取り部１１５により読み取り可能な位置に設けられたバーコードである（図６の専用バーコード１５０を参照）。
【００３７】
図７は、第３の実施形態に係るケーブルレスＰＯＳシステムの動作の一例を示すフローチャートである。
【００３８】
例えば、キャッシャーは、ＰＯＳ端末１００の入力部１０２を介して、商品登録業務の開始を入力し（ＣＰＵ１０５はこの入力に基づき商品登録業務を開始し）（ＡＣＴ２１）、続けて、キャッシャーは、タッチスキャナ１１０を用いて商品のバーコードをスキャンする（ＡＣＴ２２）。タッチスキャナ１１０のバーコード読み取り部１１５で読み取られたバーコード情報は、制御部１１１に伝送され、無線通信部１１４から送信され、ＰＯＳ端末１００の無線通信部１０４でバーコード情報を受信すると、ＣＰＵ１０５はＨＤＤ１０７を参照して、バーコード情報に関連付けられた商品情報（商品名や金額）を抽出（ＡＣＴ２３）し、表示部１０１に前記商品名や金額を表示する（ＡＣＴ２４）。なお、バーコード情報から商品名や金額を読み出すＡＣＴ２３の動作をＰＬＵ（Ｐｒｉｃｅ  Ｌｏｏｋ  Ｕｐ）と呼ぶ。また、商品情報がＨＤＤに登録されていない場合は、ＰＯＳ端末１００の外部に設置されたホストコンピュータに問い合わせ、商品名や金額を取得するが、ここでは詳細説明を省略する。
【００３９】
上記の商品登録は基本的に商品点数の数だけ繰り返し（ＡＣＴ２５のＮＯ）、タッチスキャナ１１０が充電台１２０（定位置）に置かれ専用バーコード１５０が認識されるまでは、表示部１０１は図２Ａに示すアプリケーション画面２００を表示し、タッチスキャナ１１０が充電台１２０（定位置）に置かれ、タッチスキャナ１１０が専用バーコード１５０を読みると、ＣＰＵ１０５はＨＤＤ１０７を参照して、読み取られた専用バーコード１５０を認識する（充電台１２０にタッチスキャナ１１０が置かれたことを示すバーコードと認識する）（ＡＣＴ２３）（ＡＣＴ２５のＹＥＳ）。なお、この場合、新たな商品情報を追加表示しない（ＡＣＴ２４）。
【００４０】
タッチスキャナ１１０が充電台１２０（定位置）に置かれ、専用バーコード１５０が認識されると（ＡＣＴ２５のＹＥＳ）、表示部１０１は図２Ａに示すアプリケーション画面２００を図２Ｂに示すアプリケーション画面２００へ切り替え表示し、ＣＰＵ１０５は小計キー２０１ａによる小計の指示を受け付ける（小計選択可）。即ち、ＣＰＵ１０５はアプリケーション画面２００の小計キー２０１を有効にして、商品情報に基づく精算処理の受け付けを許可し（ＡＣＴ２６）、精算処理を受け付けて、商品情報に基づく精算処理を実行する（ＡＣＴ２７）。
【００４１】
専用バーコード１５０が読み取られない場合は（ＡＣＴ２５のＮＯ）、前記小計キー２０１が有効にならないため、キャッシャーは精算処理ＡＣＴ２７に移行しない。
【００４２】
従って、タッチスキャナ１１０が充電台１２０（定位置）に戻されず、適当な位置に置き忘れられた場合は、精算業務が完了しない。よって、必ずタッチスキャナ１１０を充電台１２０（定位置）に置く必要があるため、必然的に置き忘れを防止することができる。
【００４３】
（第４の実施形態）
第１〜第３の実施形態では、１台のタッチスキャナ１１０（１台の周辺機器）の置き忘れ防止について説明したが、第１〜第３の実施形態は、複数台の周辺機器の置き忘れ防止にも適用できる。ここでは、説明を分かりやすくするために、図８に示すように、周辺機器１１０Ａ（例えばタッチスキャナ）の充電台１２０Ａ（例えばタッチスキャナ用の受電台又は周辺機器で共用の受電台）への置き忘れ、及び周辺機器１１０Ｂ（例えばクレジットカード端末）の充電台１２０Ｂ（例えばクレジットカード端末用の受電台又は周辺機器で共用の受電台）への置き忘れを防止するケースについて説明する。周辺機器１１０Ａと充電台１２０Ａ、及び周辺機器１１０Ｂと充電台１２０Ｂの基本構成は、タッチスキャナ１１０と充電台１２０の基本構成と実質同じであり、詳細説明は省略する。なお、周辺機器１１０Ａがタッチスキャナであれば、周辺機器１１０Ａはバーコード読み取り部１１５Ａを備える。同様に、周辺機器１１０Ｂがタッチスキャナであれば、周辺機器１１０Ｂはバーコード読み取り部１１５Ｂを備える。
【００４４】
周辺機器１１０Ａには機器ＩＤＡが割り当てられ、周辺機器１１０Ｂには機器ＩＤＢが割り当てられる。例えば、ＰＯＳ端末１００のＨＤＤは、監視対象機器ＩＤリストを記憶し、監視対象機器ＩＤリストは、機器ＩＤＡと周辺機器名称Ａ、及び機器ＩＤＢと周辺機器名称Ｂを記憶する。
【００４５】
周辺機器１１０Ａが充電台１２０Ａ（定位置）に戻されると、周辺機器１１０Ａの受電部１１２Ａは受電コイルと充電台１２０Ａの送電部１２１Ａの送電コイルの磁気結合を検出し、充電台１２０Ａの送電部１２１Ａは送電を開始し、周辺機器１１０Ａの受電部１１２Ａは受電を開始する。受電部１１２Ａが受電した電力は電源部１１３Ａに伝達されるが、同時に受電部１１２Ａは受電開始又は受電中を制御部１１１Ａに通知し、制御部１１１Ａは無線通信部１１４Ａを介して、ＰＯＳ端末１００の無線通信部１０４に、受電開始又は受電中を示す受電情報Ａと機器ＩＤＡを伝送する。
【００４６】
周辺機器１１０Ｂが充電台１２０Ｂ（定位置）に戻されると、周辺機器１１０Ｂの受電部１１２Ｂは受電コイルと充電台１２０Ｂの送電部１２１Ｂの送電コイルの磁気結合を検出し、充電台１２０Ｂの送電部１２１Ｂは送電を開始し、周辺機器１１０Ｂの受電部１１２Ｂは受電を開始する。受電部１１２Ｂが受電した電力は電源部１１３Ｂに伝達されるが、同時に受電部１１２Ｂは受電開始又は受電中を制御部１１１Ｂに通知し、制御部１１１Ｂは無線通信部１１４Ｂを介して、ＰＯＳ端末１００の無線通信部１０４に、受電開始又は受電中を示す受電情報Ｂと機器ＩＤＢを伝送する。
【００４７】
ここで、受電情報Ａと機器ＩＤＡ及び受電情報Ｂと機器ＩＤＢを受信したことをＣＰＵ１０５が認識し、ＣＰＵ１０５が監視対象機器ＩＤリストに基づき全ての周辺機器（このケースでは、周辺機器１１０Ａと周辺機器１１０Ｂ）が定位置に戻されたと認識すると、表示部１０１は図２Ａに示すアプリケーション画面２００を図２Ｂに示すアプリケーション画面２００へ切り替え表示し、ＣＰＵ１０５は小計キー２０１ａによる小計の指示を受け付ける（小計選択可）。即ち、ＣＰＵ１０５はアプリケーション画面２００の小計キー２０１を有効にして、商品情報に基づく精算処理の受け付けを許可し、精算処理を受け付けて、商品情報に基づく精算処理を実行する。
【００４８】
例えば、受電情報Ａと機器ＩＤＡ及び受電情報Ｂと機器ＩＤＢを受信したことをＣＰＵ１０５が認識せず、情報未入力の状態が所定時間を経過すると、表示部１０１は図９Ａに示すアプリケーション画面２００を表示し、この画面２００中で、周辺機器Ａ、周辺機器Ｂを充電台へ戻すことを表示する。ここで、周辺機器１１０Ａが充電台１２０Ａに置かれ（受電情報Ａと機器ＩＤＡを受信したことをＣＰＵ１０５が認識され）、図９Ａに示すアプリケーション画面２００の確認画面でＯＫが選択されると、表示部１０１は図９Ｂに示すアプリケーション画面２００を表示し、この画面２００中で、充電台へ戻されていない機器があること、充電台へ戻されていない機器が周辺機器Ｂであること、この周辺機器Ｂを充電台へ戻すことを表示する。
【００４９】
なお、図９Ａに示すアプリケーション画面２００を介したＯＫの選択操作を省略するようにしてもよい。即ち、周辺機器１１０Ａが充電台１２０Ａに置かれ、ＣＰＵ１０５が受電情報Ａと機器ＩＤＡを認識すると、ＯＫの選択操作がなくとも、図９Ｂに示すアプリケーション画面２００を表示するようにしてもよい。
【００５０】
その後、周辺機器１１０Ｂが充電台１２０Ｂに置かれ（受電情報Ｂと機器ＩＤＢを受信したことをＣＰＵ１０５が認識され）、図９Ｂに示すアプリケーション画面２００の確認画面でＯＫが選択されると、表示部１０１は図２Ｂに示すアプリケーション画面２００を表示する。
【００５１】
従って、監視対象機器ＩＤリストに含まれる全ての周辺機器が定位置に戻されず適当な位置に置き忘れられた場合は、例えば、図９Ａ又は図９Ｂに示すように、アプリケーション画面２００にエラー表示または、周辺機器を充電台に置くように促すメッセージが表示され、精算業務が完了しない。よって、必ず、監視対象機器ＩＤリストに含まれる全ての周辺機器が定位置に置かれる必要があるため、必然的に置き忘れを防止することができる。また、受電台は、周辺機器毎の専用の受電台であってもよいし、汎用性のある共用可能な受電台であってよい。
【００５２】
以上、第１〜第４の実施形態によれば、特別なハードウェアを追加することなく、確実に周辺機器の置き忘れを防止することができる。また、複数の周辺機器の置き忘れを防止する場合であっても、各周辺機器からの共通の信号の受信（受電情報と機器ＩＤの組み合わせの受信）をトリガとするので、各周辺機器が定位置に戻されたか否かの判定プロセスを簡単化することができる。
【００５３】
タッチスキャナや暗証番号入力機などの小型機器をワイヤレス化した場合、使用後に置き忘れる可能性があり、チェックアウト業務に支障が出る場合があるが、第１〜第４の実施形態によれば、このような不具合を防止することができる。また、第１〜第４の実施形態は、周辺機器を有線接続した場合にも、適用可能である。
【００５４】
なお、上記第１〜第４の実施形態で説明した処理及び制御の手順は全てソフトウェアによって実行することが可能である。このため、上記処理及び制御の手順を実行するプログラムを格納したコンピュータ読み取り可能な記憶媒体を通じてこのプログラムをケーブルレスＰＯＳシステムにインストールして実行するだけで、上記処理及び制御を容易に実現することができる。
【００５５】
例えば、ケーブルレスＰＯＳシステム（ＣＰＵ１０５等）が、コンピュータ読み取り可能な記憶媒体から上記プログラムを読み取り、ＨＤＤ７等の記憶装置に読み取ったプログラムを記憶し、プログラムのインストールを完了することができる。或いは、ケーブルレスＰＯＳシステムが、上記プログラムをダウンロードし、ＨＤＤ７等の記憶装置にダウンロードしたプログラムを記憶し、プログラムのインストールを完了することができる。これにより、ケーブルレスＰＯＳシステム（ＣＰＵ１０５等）は、インストールされた上記プログラムに基づき、上記処理及び制御を容易に実現することができる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下、本願の出願当初の特許請求の範囲に記載の発明を付記する。
［Ｃ１］
充電装置を備えた端末からデータを受信し、前記充電装置による受電開始又は受電中を示す受電情報を前記端末から受信する通信手段と、
前記データを受信した後であっても前記受電情報を受信しない場合は前記データに基づく所定処理の実行指示を受け付けず、前記受電情報を受信した場合に前記データに基づく前記所定処理の実行指示の受け付けを許可する制御手段と、
を備える情報処理装置。
［Ｃ２］
前記制御手段は、商品情報に対応する前記データを受信した後であっても前記受電情報を受信しない場合は前記商品情報に基づく精算処理の実行指示を受け付けず、前記受電情報を受信した場合に前記商品情報に基づく前記精算処理の実行指示の受け付けを許可し、前記精算処理の実行指示の受け付けにより前記商品情報に基づく前記精算処理を実行する[Ｃ１]の情報処理装置。
［Ｃ３］
前記データを受信してから次のデータを受信せず前記受電情報も受信せずに所定時間の経過を検出すると、警告情報を出力する出力手段を備える[Ｃ１]又は［Ｃ２］の情報処理装置。
［Ｃ４］
[Ｃ１]乃至［Ｃ３］の何れか１つの情報処理装置と、
前記充電装置からの受電に基づき前記受電情報を送信する前記端末と、
を備える情報処理システム。
［Ｃ５］
充電装置及びバーコードリーダを備えた端末から送信される第１のバーコード情報を受信し、また、前記端末から送信される第２のバーコード情報を受信する通信手段と、
前記第１のバーコード情報を受信した後であっても前記第２のバーコード情報を受信しない場合は前記第１のバーコード情報に基づく精算処理の実行指示を受け付けず、前記第２のバーコード情報を受信した場合に前記第１のバーコード情報に基づく前記精算処理の実行指示の受け付けを許可する制御手段と、
を備え、
前記第１のバーコード情報は、前記バーコードリーダによる商品の第１のバーコードの読み取りにより得られる情報であり、
前記第２のバーコード情報は、前記充電装置の充電可能位置に前記端末が置かれた場合に、前記端末の前記バーコードリーダにより読み取り可能な位置に設けられた第２のバーコードの読み取りにより得られる情報である情報処理装置。
［Ｃ６］
充電装置を備えた端末からデータを受信した後であっても前記充電装置による受電開始又は受電中を示す受電情報を前記端末から受信しない場合は、前記データに基づく所定処理の実行指示を受け付けない手順と、
前記端末から前記データを受信した後に、前記端末から前記受電情報を受信した場合に、前記データに基づく前記所定処理の実行指示の受け付けを許可する手順と、
をコンピュータに実行させるための情報処理プログラム。
【符号の説明】
【００５７】
１００・・・ＰＯＳ端末、１０１・・・表示部、１０２・・・入力部（タッチパネル）、１４０・・・客面表示器、１０５・・・ＣＰＵ、１０４・・・無線通信部、１０６・・・ＲＡＭ、１０７・・・ＨＤＤ（ハードディスクドライブ）、１１０・・・タッチスキャナ、１１１・・・制御部、１１２・・・受電部、１１３・・・電源部、１１４・・・無線通信部、１１５・・・バーコード読み取り部、１２０・・・充電台、１２１・・・送電部、１２２・・・電源部
【図１】
0006333188.tif 000002
【図２Ａ】
0006333188.tif 000003
【図２Ｂ】
0006333188.tif 000004
【図２Ｃ】
0006333188.tif 000005
【図３】
0006333188.tif 000006
【図４】
0006333188.tif 000007
【図５】
0006333188.tif 000008
【図６】
0006333188.tif 000009
【図７】
0006333188.tif 000010
【図８】
0006333188.tif 000011
【図９Ａ】
0006333188.tif 000012
【図９Ｂ】
0006333188.tif 000013